(57)【要約】【課題】測定分解能が向上したＲＣ放電回路等を提供する。【解決手段】コンデンサ（Ｃ）に蓄積された電荷を電気抵抗（Ｒ１、Ｒ２）を含む抵抗部を介して放電するＲＣ放電回路（３３）を、前記コンデンサの充電電圧を検出する検出部を含み、前記コンデンサの充電電圧が所定の閾値（Ｖｔｈ）未満となった場合に作動し、前記抵抗部の全体的な抵抗値を変化させることによって前記コンデンサの静電容量と前記抵抗部の抵抗値とによって規定される放電時定数を変更する時定数変更部（３３ａ）を備える構成とした。【選択図】図２
2009300199.tif 000002
【特許請求の範囲】
【請求項１】
コンデンサに蓄積された電荷を電気抵抗を含む抵抗部を介して放電するＲＣ放電回路であって、
前記コンデンサの充電電圧を検出する検出部を含み、前記コンデンサの充電電圧が所定の閾値未満となった場合に作動し、前記抵抗部の全体的な抵抗値を変化させることによって前記コンデンサの静電容量と前記抵抗部の全体的な抵抗値とによって規定される放電時定数を変更する時定数変更部を備えること
を特徴とするＲＣ放電回路。
【請求項２】
請求項１に記載のＲＣ放電回路において、
前記時定数変更部は、前記コンデンサの充電電圧が前記所定の閾値未満となった場合に前記放電時定数を大きくすること
を特徴とするＲＣ放電回路。
【請求項３】
請求項１又は請求項２に記載のＲＣ放電回路において、
前記抵抗部は、複数の抵抗を含み、
前記時定数変更部は、前記複数の抵抗の接続態様を変更するスイッチ機構を備え、前記複数の抵抗の接続態様を変更することによって前記放電時定数を変更すること
を特徴とするＲＣ放電回路。
【請求項４】
請求項３に記載のＲＣ放電回路において、
第１の抵抗と第２の抵抗とが並列接続されて設けられ、
前記コンデンサの充電電圧が前記所定の閾値以上の場合には前記第１の抵抗及び前記第２の抵抗を介して前記コンデンサの放電を行い、
前記コンデンサの充電電圧が前記所定の閾値未満となった場合には前記第２の抵抗を介して前記コンデンサの放電を行うこと
を特徴とするＲＣ放電回路。
【請求項５】
請求項３に記載のＲＣ放電回路において、
互いに抵抗値の異なる第１の抵抗と第２の抵抗とがそれぞれスイッチング素子を介して並列接続されて設けられ、
前記コンデンサの充電電圧が所定の閾値以上の場合には、前記第１の抵抗を介して前記コンデンサの放電を行い、
前記コンデンサの充電電圧が、前記所定の閾値未満の場合には、前記第２の抵抗を介して前記コンデンサの放電を行い、
前記第１の抵抗の抵抗値は、前記第２の抵抗の抵抗値よりも小さいこと
を特徴とするＲＣ放電回路。
【請求項６】
請求項１又は請求項２に記載のＲＣ放電回路において、
前記抵抗部は、複数の抵抗を含み、
前記コンデンサは、第１のコンデンサと第２のコンデンサとが並列接続されて設けられ、
前記時定数変更部は、前記複数の抵抗、前記第１のコンデンサ、及び、前記第２のコンデンサの接続態様を変更するスイッチ機構を備え、
前記コンデンサの充電電圧が前記所定の閾値以上の場合には、前記第１のコンデンサ及び前記第２のコンデンサに蓄積された電荷を前記複数の抵抗を介して放電し、
前記コンデンサの充電電圧が前記所定の閾値未満となった場合には、前記第１のコンデンサに蓄積された電荷を前記複数の抵抗の一部を介して放電し、前記第２のコンデンサに蓄積された電荷を前記複数の抵抗の他部を介して放電すること
を特徴とするＲＣ放電回路。
【請求項７】
請求項６に記載のＲＣ放電回路において、
前記第１のコンデンサ及び前記複数の抵抗の一部によって形成される回路と、前記第２のコンデンサ及び前記複数の抵抗の他部によって形成される回路との放電時定数が異なること
を特徴とするＲＣ放電回路。
【請求項８】
請求項１から請求項７までのいずれか１項に記載のＲＣ放電回路と、
電源供給対象物に対する電源供給状態を監視する電源状態監視部と、
前記電源供給対象物に対する電源供給が停止されてから電源供給が再開されるまでの時間を求める経過時間情報取得部と
を備える電源管理回路であって、
前記ＲＣ放電回路は、前記コンデンサをあらかじめ充電するとともに、前記電源状態監視部の出力に基づき前記電源供給対象物に対する電源供給が停止された場合に前記コンデンサの放電を開始し、
前記経過時間情報取得部は、前記電源供給対象物に対する電源供給が再開された場合に、前記コンデンサの充電電圧の変化量に基づいて電源供給が停止されてから再開されるまでの経過時間を求めること
を特徴とする電源管理回路。
【請求項９】
請求項８に記載の電源管理回路において、
前記経過時間情報取得部は、前記コンデンサの充電電圧の変化量と経過時間とが関連付けられて記録された経過時間情報を参照することによって前記経過時間を求めること
を特徴とする電源管理回路。
【請求項１０】
請求項８又は請求項９に記載の電源管理回路において、
前記ＲＣ放電回路に備えられたコンデンサを充電する充電制御回路を備え、
前記充電制御回路は、前記コンデンサに充電した電荷のリークを抑制する第１の抑制部を備えること
を特徴とする電源管理回路。
【請求項１１】
請求項８から請求項１０までのいずれか１項に記載の電源管理回路において、
前記ＲＣ放電回路に備えられたコンデンサの充電電圧情報を読み出して前記経過時間情報取得部に入力する読み出し制御部を備え、
前記読み出し制御部は、前記コンデンサに充電した電荷のリークを抑制する第２の抑制部を備えること
を特徴とする電源管理回路。
【発明の詳細な説明】
【技術分野】
【０００１】
本発明は、ＲＣ放電回路及び電源管理回路に関するものである。
【背景技術】
【０００２】
プリンタ等の電子機器は、電源供給が停止されてからの時間を測定するＣＲ回路（ＲＣ回路）を備えたものが知られている（例えば、特許文献１参照）。
【特許文献１】特開平８−１０４０１３号公報
【発明の開示】
【発明が解決しようとする課題】
【０００３】
この種の計時回路は、電源供給停止後の経過時間をより精度よく測定できるものが望まれている。
本発明の課題は、測定分解能が向上したＲＣ放電回路及び電源管理回路を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、コンデンサ（Ｃ）に蓄積された電荷を電気抵抗（Ｒ１、Ｒ２）を含む抵抗部を介して放電するＲＣ放電回路であって、前記コンデンサの充電電圧を検出する検出部を含み、前記コンデンサの充電電圧が所定の閾値（Ｖｔｈ）未満となった場合に作動し、前記抵抗部の全体的な抵抗値を変化させることによって前記コンデンサの静電容量と前記抵抗部の全体的な抵抗値とによって規定される放電時定数を変更する時定数変更部（３３ａ）を備えることを特徴とするＲＣ放電回路（３３）である。
【０００５】
請求項２の発明は、請求項１に記載のＲＣ放電回路において、前記時定数変更部（３３ａ）は、前記コンデンサ（Ｃ）の充電電圧が前記所定の閾値（Ｖｔｈ）未満となった場合に前記放電時定数を大きくすることを特徴とするＲＣ放電回路（３３）である。
請求項３の発明は、請求項１又は請求項２に記載のＲＣ放電回路において、前記抵抗部は、複数の抵抗（Ｒ１、Ｒ２）を含み、前記時定数変更部（３３ａ）は、前記複数の抵抗の接続態様を変更するスイッチ機構を備え、前記複数の抵抗の接続態様を変更することによって前記放電時定数を変更することを特徴とするＲＣ放電回路（３３）である。
請求項４の発明は、請求項３に記載のＲＣ放電回路において、第１の抵抗（Ｒ１）と第２（Ｒ２）の抵抗とが並列接続されて設けられ、前記コンデンサ（Ｃ）の充電電圧が前記所定の閾値（Ｖｔｈ）以上の場合には前記第１の抵抗及び前記第２の抵抗を介して前記コンデンサの放電を行い、前記コンデンサの充電電圧が前記所定の閾値未満となった場合には前記第２の抵抗を介して前記コンデンサの放電を行うことを特徴とするＲＣ放電回路（３３）である。
請求項５の発明は、請求項３に記載のＲＣ放電回路において、互いに抵抗値の異なる第１の抵抗（Ｒ１０）と第２の抵抗（Ｒ２０）とがそれぞれスイッチング素子（Ｓ１０、Ｓ２０）を介して並列接続されて設けられ、前記コンデンサ（Ｃ）の充電電圧が所定の閾値以上の場合には、前記第１の抵抗を介して前記コンデンサの放電を行い、前記コンデンサの充電電圧が、前記所定の閾値未満の場合には、前記第２の抵抗を介して前記コンデンサの放電を行い、前記第１の抵抗の抵抗値は、前記第２の抵抗の抵抗値よりも小さいことを特徴とするＲＣ放電回路（３３０）である。
請求項６の発明は、請求項１又は請求項２に記載のＲＣ放電回路において、前記抵抗部は、複数の抵抗（Ｒ１〜Ｒ４）を含み、前記コンデンサは、第１のコンデンサ（Ｃ１）と第２のコンデンサ（Ｃ２）とが並列接続されて設けられ、前記時定数変更部（３３ａ）は、前記複数の抵抗、前記第１のコンデンサ、及び、前記第２のコンデンサの接続態様を変更するスイッチ機構を備え、前記コンデンサの充電電圧が前記所定の閾値（Ｖｔｈ）以上の場合には、前記第１のコンデンサ及び前記第２のコンデンサに蓄積された電荷を前記複数の抵抗を介して放電し、前記コンデンサの充電電圧が前記所定の閾値未満となった場合には、前記第１のコンデンサに蓄積された電荷を前記複数の抵抗の一部（Ｒ３）を介して放電し、前記第２のコンデンサに蓄積された電荷を前記複数の抵抗の他部（Ｒ２、Ｒ４）を介して放電することを特徴とするＲＣ放電回路（４０）である。
請求項７の発明は、請求項６に記載のＲＣ放電回路において、前記第１のコンデンサ（Ｃ１）及び前記複数の抵抗の一部（Ｒ３）によって形成される回路と、前記第２のコンデンサ（Ｃ２）及び前記複数の抵抗の他部（Ｒ２、Ｒ４）によって形成される回路との放電時定数が異なることを特徴とするＲＣ放電回路（４０）である。
【０００６】
請求項８の発明は、請求項１から請求項７までのいずれか１項に記載のＲＣ放電回路（３３）と、電源供給対象物（２３）に対する電源供給状態を監視する電源状態監視部（３１）と、前記電源供給対象物に対する電源供給が停止されてから電源供給が再開されるまでの時間を求める経過時間情報取得部（３６）とを備える電源管理回路であって、前記ＲＣ放電回路は、前記コンデンサ（Ｃ）をあらかじめ充電するとともに、前記電源状態監視部の出力に基づき前記電源供給対象物に対する電源供給が停止された場合に前記コンデンサの放電を開始し、前記経過時間情報取得部は、前記電源供給対象物に対する電源供給が再開された場合に、前記コンデンサの充電電圧の変化量に基づいて電源供給が停止されてから再開されるまでの経過時間を求めることを特徴とする電源管理回路（３０）である。
請求項９の発明は、請求項８に記載の電源管理回路において、前記経過時間情報取得部（３６）は、前記コンデンサ（Ｃ）の充電電圧の変化量と経過時間とが関連付けられて記録された経過時間情報を参照することによって前記経過時間を求めることを特徴とする電源管理回路（３０）である。
請求項１０の発明は、請求項８又は請求項９に記載の電源管理回路において、前記ＲＣ放電回路（３３）に備えられたコンデンサ（Ｃ）を充電する充電制御回路（３４）を備え、前記充電制御回路は、前記コンデンサに充電した電荷のリークを抑制する第１の抑制部（Ｔｒ１、Ｔｒ２）を備えることを特徴とする電源管理回路（３０）である。
請求項１１の発明は、請求項８から請求項１０までのいずれか１項に記載の電源管理回路において、前記ＲＣ放電回路（３３）に備えられたコンデンサ（Ｃ１）の充電電圧情報を読み出して前記経過時間情報取得部（３６）に入力する読み出し制御部（３５）を備え、前記読み出し制御部は、前記コンデンサに充電した電荷のリークを抑制する第２の抑制部（Ｔｒ３、Ｔｒ４）を備えることを特徴とする電源管理回路（３０）である。
なお、符号を付して説明した構成は、適宜改良してもよく、また、少なくとも一部を他の構成物に代替してもよい。
【発明の効果】
【０００７】
本発明によれば、測定分解能が向上したＲＣ放電回路及び電源管理回路を提供することができる。
【発明を実施するための最良の形態】
【０００８】
［第１実施形態］
以下、図面等を参照して、本発明を適用した電源管理回路の実施形態を含むカメラについて説明する。
図１は、第１実施形態のカメラの構成を示すブロック図である。
カメラ１０は、被写体光を電気信号に変換して出力する撮像素子１１、撮像素子１１に被写体光を導く撮影レンズ１２、撮像素子１１の出力に基づいて画像データを生成する画像処理回路１３、画像データに基づいて生成された画像等を表示する表示装置１４、撮像素子１１等の電気要素を統括的に制御する制御部１５、撮像素子１１等の電気要素に対して電源として機能する電池１６を着脱可能に収容する電池室１７、撮影時に被写体に照明光（閃光）を照射する照明装置２０等を備えたデジタルカメラである。
【０００９】
照明装置２０は、発光素子であるキセノンランプ２１、及び、キセノンランプ２１に対して照明光の照射方向前方に照明光を拡散させる拡散板２２を備えている。拡散板２２は、例えば、合成樹脂材料によって形成されている。
また、照明装置２０は、キセノンランプ２１に対する電源として機能するコンデンサやマイコン等（ともに図示省略）を含む発光制御回路２３を備えている。発光制御回路２３は、制御部１５からの指示に応じてキセノンランプ２１による照明光の発光開始制御、発光停止制御等を行う。
【００１０】
ここで、照明装置２０は、キセノンランプ２１が発光した閃光等の照明光を拡散板２２を介して被写体に照射するので、発光を行うたびに拡散板２２が照明光によって加熱される。そして、照明装置２０は、拡散板２２が加熱により変形することを防止するために、拡散板２２の温度が一定の値以上となった場合には、発光制御回路２３が、例えば、発光禁止制御を行う。
このような発光禁止制御を行う場合、照明光の発光の可否を決定するために拡散板２２の温度を常時モニタリングする必要があるが、拡散板２２は、照明光を通過させるので、拡散板２２に温度センサ等を設けることは実質的に不可能である。
【００１１】
このため、本実施形態の照明装置２０に備えられた発光制御回路２３は、発光後の経過時間を、発光制御回路２３に備えられたタイマ回路（図示省略）によって計時するようになっている。発光制御回路２３は、照明装置２０に設けられている不図示の温度センサで測定される外気温度、１回の発光による拡散板２２の温度上昇（予測値）、及び、発光後の時間経過による温度低下（予測値）等を総合的に考慮して拡散板２２の温度変化をリアルタイムで演算するようになっている。
【００１２】
ここで、上記タイマ回路を含む発光制御回路２３は、電池１６からの電源供給によって作動するようになっている。このため、発光後の経過時間をタイマ回路によって計時している最中に電池室１７から電池１６が抜き取られた場合等には、発光完了後の正確な経過時間を計測することができなくなる。なお、発光完了後の経過時間を測定できなくなる場合としては、電池１６が抜き取られる場合の他、電池１６が消耗して電圧が低下した場合や、カメラ１０が電力消費低減制御（非撮影時等に撮像素子１１や表示装置１４等に対する電源供給を停止する制御）が実行され、発光制御回路２３のタイマ回路に対する電源供給も停止された場合等が考えられる。
【００１３】
これに対し、本実施形態のカメラ１０は、電池１６が電池室１７から抜き取られた場合であっても作動可能なＲＣ放電回路（ＣＲ放電回路とも称される）を含む電源管理回路３０を備えている。
この電源管理回路３０は、電池１６が抜き取られてから再び電池１６が装着されるまでの経過時間を測定できるので、発光制御回路２３は、タイマ回路の出力と併せて発光完了後の正確な経過時間を演算することができる。
【００１４】
以下、電源管理回路３０に付いて説明する。
図２は、図１に示すカメラに備えられた電源管理回路を示す回路図である。
電源管理回路３０は、ＤＣ−ＤＣコンバータ３１、低電圧検出ＩＣ３２、ＲＣ放電回路３３、充電制御回路３４、読み出し制御回路３５、ＣＰＵ３６等を備えている。
【００１５】
ＤＣ−ＤＣコンバータ３１は、電池室１７に収容された電池１６に電気的に接続されており、電池１６から出力される、例えば、３．７Ｖ程度の直流電源電圧を、例えば、３Ｖ程度の直流電源電圧（Ｖｃｃ）に変圧して出力する。
低電圧検出ＩＣ３２は、ＤＣ−ＤＣコンバータ３１及びＣＰＵ３６に電気的に接続されており、ＤＣ−ＤＣコンバータ３１の出力電圧をモニタリングしている。低電圧検出ＩＣ３２は、例えば、カメラ１０の電池室１７から電池１６が抜き取られた場合等、ＤＣ−ＤＣコンバータ３１からの出力電圧が著しく低下した（電源供給停止を検出した）場合に、これをＣＰＵ３６に伝達する。
【００１６】
ＲＣ放電回路３３は、コンデンサＣと複数の抵抗Ｒ１、Ｒ２とを含んでいる。コンデンサＣは、後述する充電制御回路３４によって予め充電されている。充電制御回路３４は、低電圧検出ＩＣ３２が電源供給停止を検出した場合にコンデンサＣの充電を停止する。コンデンサＣは、充電が停止されると自動的に放電を開始する。
【００１７】
充電制御回路３４は、ＲＣ放電回路３３に備えられたコンデンサＣの充電を行う回路である。充電制御回路３４は、ＰＮＰ型トランジスタＴｒ１及びＮＰＮ型トランジスタＴｒ２を含み、ＤＣ−ＤＣコンバータ３１から供給される電源電圧Ｖｃｃの電圧降下が実質的に無視できるようになっている。これによって、充電制御回路３４は、コンデンサＣの充電電圧（Ｖｃ）が電源電圧Ｖｃｃと等しくなるまで充電を行うことができる。
ＰＮＰ型トランジスタＴｒ１、及び、ＮＰＮ型トランジスタＴｒ２は、ＤＣ−ＤＣコンバータ３１からの電源供給が停止された場合に、コンデンサＣに蓄積された電荷が充電制御回路３４にリークすることを抑制する。したがって、ＲＣ放電回路３３は、充電制御回路３４がオフ状態の場合であってもコンデンサＣの電圧降下を実質的に無視することができる。
【００１８】
読み出し制御回路３５は、ＲＣ放電回路３３に備えられたコンデンサＣの充電電圧を読み出し、これをＣＰＵ３６に備えられたＡ／Ｄコンバータ（図示省略）に対して出力する回路である。コンデンサＣにＤＣ−ＤＣコンバータ３１からの電源供給が行われている状態では、読み出し制御回路３５は作動していない（読み出し制御回路オフ）。
読み出し制御回路３５も、充電制御回路３４と同様にＰＮＰ型トランジスタＴｒ３及びＮＰＮ型トランジスタＴｒ４を含み、オフ状態の場合には、コンデンサＣから読み出し制御回路３５に電荷がリークすることを抑制する。これによって、コンデンサＣは、充電完了状態（電圧＝Ｖｃｃ）からの電圧降下が実質的に無視できる。
【００１９】
ＣＰＵ３６は、読み出し制御回路３５からの出力（コンデンサＣの充電電圧情報）、及び、不揮発性メモリー３７に予め記憶させておいた、コンデンサＣの充電電圧と電源供給が停止されてからの経過時間とが関連付けられたデータ（テーブル）に基づいて、電源供給が停止されてからの経過時間を求める。なお、電源供給が停止されると、ＣＰＵ３６自体も作動を停止するので、上記経過時間は、電源供給が再開された後に求める。
【００２０】
次にＲＣ放電回路３３の構成について説明する。
先述したように、本実施形態の電源管理回路３０は、ＲＣ放電回路３３に備えられたコンデンサＣの充電電圧（残電圧）に基づいて、電源供給が停止されてから電源供給が再開されるまでの経過時間（以下、単に経過時間と称する）を求める。
ここで、カメラ１０において、電源供給が停止される例としては、電池１６の交換が考えられる。そして、電池１６の交換は、カメラ１０及び電池１６の種類にもよるが、通常は数秒から数十秒程度で完了するものと考えられる。
このように、電源管理回路３０は、計測対象となる時間が数十秒以下であることが多いと想定されるため、電源供給が停止されてから数十秒間は、特に高精度で経過時間の測定ができることが好ましい。一方で、電源供給が停止される例としては、電池交換以外にも考えられるので、経過時間の測定は、最大で数十分程度は行えることが望まれる。
【００２１】
そこで、本実施形態の電源管理回路３０に備えられたＲＣ放電回路３３は、コンデンサＣの充電電圧が所定の閾値（Ｖｔｈ）未満となった場合に放電時定数（以下、単に時定数と称する）を大きくすることによって、電源供給が停止されてから数十秒間は、高精度で経過時間の測定ができるようにするとともに、経過時間の測定を数十分程度にわたって行うことができるようにした。なお、時定数とは、ＲＣ放電回路３３に備えられたコンデンサＣの静電容量と、コンデンサＣの放電に使用する抵抗Ｒ（Ｒ１、Ｒ２）の抵抗値の積によって規定される値である。
【００２２】
図２に示すように、ＲＣ放電回路３３は、コンデンサＣ、抵抗Ｒ１、過電圧検出ＩＣ３３ａを備えている。コンデンサＣは、前述した充電制御回路３４によって充電電圧が電圧Ｖｃｃとなるまで充電される。
過電圧検出ＩＣ３３ａは、コンデンサＣの充電電圧を監視する部分であり、抵抗Ｒ１に対して並列接続された抵抗Ｒ２を備えている。本実施形態では、抵抗Ｒ１の抵抗値は、抵抗Ｒ２の抵抗値よりも小さく設定されている（Ｒ１＜Ｒ２）。しかしながら、「Ｒ１／／Ｒ２＜Ｒ２」（Ｒ１／／Ｒ２は、抵抗Ｒ１と抵抗Ｒ２とが並列接続されているときの合成抵抗値を示す）の条件は、必ず満たされているので、抵抗値の関係がＲ１＞Ｒ２であってもよい。また、場合によって、抵抗値の関係がＲ１＝Ｒ２であってもよい。
【００２３】
過電圧検出ＩＣ３３ａは、コンデンサＣから抵抗Ｒ２に流れる電流によって作動するスイッチ機構を備えている。ＲＣ放電回路３３は、コンデンサＣの充電電圧が閾値Ｖｔｈ以上の場合には、抵抗Ｒ１及び抵抗Ｒ２の両方を用いてコンデンサＣの放電を行い、充電電圧が閾値Ｖｔｈ未満となった場合に、過電圧検出ＩＣ３３ａが自動的に抵抗Ｒ１と抵抗Ｒ２との接続を遮断し、抵抗Ｒ２のみによってコンデンサＣの放電を行うように回路を切り替える。
以下、電源管理回路３０の動作を図３を用いて具体的に説明する。
図３は、図２示す電源管理回路の動作を示すタイミングチャートである。
【００２４】
図３は、コンデンサＣの充電が完了（充電電圧Ｖｃｃ）した状態から開始している。
カメラは、時間Ｔａにおいて、例えば、電池室１７から電池１６が抜き取られ、これによって電源管理回路３０への電源供給が停止される。
電源供給が停止されると、低電圧検出ＩＣ３２がこれを検出してＣＰＵ３６の作動を停止させる（Ｔｂ）。ＣＰＵ３６が作動を停止すると、ＣＰＵ３６の出力ポートＯＵＴ２の出力がＨｉｇｈからＬｏｗに切り替わり、これによって充電制御回路３４は、コンデンサＣの充電を停止し、同時にＲＣ放電回路３３は、コンデンサＣの放電を開始する。
このときのＲＣ放電回路３３は、並列接続された抵抗Ｒ１と抵抗Ｒ２とを用いてコンデンサＣを放電する。このときの時定数ｔ１は、ｔ１＝（Ｒ１／／Ｒ２）＊Ｃで定義される。なお、（Ｒ１／／Ｒ２）は、抵抗Ｒ１と抵抗Ｒ２との合成抵抗値、Ｃは、コンデンサＣの静電容量を示す。
【００２５】
そして、時間の経過に伴ってコンデンサＣの充電電圧が低下し、所定の閾値Ｖｔｈ未満になると（Ｔｃ）、過電圧検出ＩＣ３３ａは、これを検出して過電圧検出ＩＣ３３ａ内に設けられているスイッチ機構が抵抗Ｒ１を回路から切断する。これによって、コンデンサＣの放電は、抵抗Ｒ２のみを介して行われる。このときのＲＣ放電回路３３の時定数ｔ２は、ｔ２＝Ｒ２＊Ｃで定義される。抵抗Ｒ１と抵抗Ｒ２との合成抵抗値Ｒ１／／Ｒ２は、抵抗Ｒ２の抵抗値よりも小さい（Ｒ１／／Ｒ２＜Ｒ２）ので、時定数ｔ１＜時定数ｔ２となる。
ここで、ＲＣ放電回路３３は、時定数が大きい場合と小さい場合とを比較すると、時定数が小さい場合の方がコンデンサＣの放電を速く行うことができるので、放電途中に時定数を大きくすると、このタイミング（Ｔｃ）を境にコンデンサＣの放電速度が遅くなる（図３の放電カーブ参照）。
【００２６】
コンデンサＣに蓄積された電荷の放出が完全に終わるまでに、例えば、再び電池１６が装着されて電源供給が再開された場合には、低電圧検出ＩＣ３２がこれを検出し（Ｔｄ）、これに伴ってＣＰＵ３６が作動を再開する。
ＣＰＵ３６は、作動を再開すると、出力ポートＯＵＴ２を非稼働（Ｌｏｗ）としたままで、出力ポートＯＵＴ１をアクティブとする（Ｔｅ）。これによって、読み出し制御回路３５がオン状態となり、コンデンサＣの充電電圧を測定してＣＰＵ３６に出力する。ＣＰＵ３６は、コンデンサＣの充電電圧情報をＡ／Ｄ変換し、不揮発性メモリー３７に記録されたテーブルを参照して電池１６が抜き取られてから再び装着されるまでの経過時間（Ｔｂ〜Ｔｄ）を求めて発光制御回路２３に出力する（Ｔｆ）。この後、ＣＰＵ３６は、出力ポートＯＵＴ２の出力がＨｉｇｈに切り替わり、ＲＣ放電回路３３は、コンデンサＣの放電を停止する（Ｔｇ）。
なお、本実施形態の電源管理回路３０は、予め用意したテーブルを参照して上記経過時間を求めるが、これに限らず、以下の式１に基づいて演算してもよい。
Ｔ＝ｆ（ｔ）・・・（式１）
上記（式１）において、Ｔは温度、ｔは経過時間を示す。
【００２７】
次に、本実施形態のカメラ１０に備えられた電源管理回路３０が行う電源管理制御についてフローチャートを用いてステップごとに説明する。
図４は、図２に示す電源管理回路が行う電源管理制御を示すフローチャートである。
【００２８】
（ステップＳ０１：充電）
電源管理回路３０は、カメラ１０に電池１６が装着された状態で充電制御回路３４がコンデンサＣの充電を行う（ステップＳ０２に進む）。
（ステップＳ０２：電源供給判定）
例えば、電池１６が電池室１７から抜き取られると、低電圧検出ＩＣ３２がＤＣ−ＤＣコンバータ３１の出力に基づいてこれを検出し、ステップＳ０３に進む。電源供給の停止が検出されない場合は、待機状態となる。
【００２９】
（ステップＳ０３：充電停止）
電源供給が停止されると、ＣＰＵ３６の作動が停止し、これに応じて充電制御回路３４は、コンデンサＣの充電を停止してステップＳ０４に進む。
（ステップＳ０４：放電開始）
ＲＣ放電回路３３は、コンデンサＣに蓄積した電荷の放電を抵抗Ｒ１及び抵抗Ｒ２を介して行い、ステップＳ０５に進む。このときのＲＣ放電回路３３の時定数は、ｔ１である。
【００３０】
（ステップＳ０５：電源供給判定）
時定数ｔ１でコンデンサＣの放電を行っている間に、電源供給が再開された場合には、ステップＳ０９に進む。これに対し、電源供給が再開されない場合には、ステップＳ０６に進む。
（ステップＳ０６：充電電圧判定）
ＲＣ放電回路３３は、過電圧検出ＩＣ３３ａがコンデンサＣの充電電圧が閾値Ｖｔｈ未満となったことを検出した場合には、ステップＳ０７に進む。コンデンサの充電電圧が閾値Ｖｔｈ以上であれば、ステップＳ０５に戻る。
【００３１】
（ステップＳ０７：時定数変更）
過電圧検出ＩＣ３３ａは、ＲＣ放電回路３３の時定数をｔ１からｔ２に変更してステップＳ０８に進む。これによって、コンデンサＣの時間当たりの電圧降下量が小さくなる。
（ステップＳ０８：電源供給判定）
時定数ｔ２でコンデンサＣの放電を行っている間に、電源供給が再開された場合には、ステップＳ０９に進む。これに対し、電源供給が再開されない場合には、充電電圧の検出が不可能になるまでコンデンサＣの放電を継続する。本実施形態の電源管理回路３０の場合、充電電圧が、例えば、０．５Ｖ程度になると、経過時間当たりの充電電圧の変化が微小になるので、充電電圧に基づいて経過時間を求めることが困難になる。
ただし、本実施形態の電源管理回路３０において、コンデンサＣの充電電圧が、例えば、０．５Ｖ程度になるのは、電源供給を停止してから、例えば、３０分以上経過した後である。電源管理回路３０は、照明装置２０の拡散板２２を保護するためのものであるが、仮に電源供給停止の直前に発光を行っていても電源供給が停止されてから、例えば、３０分以上経過した後ならば、拡散板２２の温度が外気温程度まで低下しているものと考えられるので実用上は問題ない。
【００３２】
（ステップ０９：経過時間を求める）
電源供給が再開されると、読み出し制御回路３５がコンデンサＣの充電電圧を読み出してＣＰＵ３６に出力し、ＣＰＵ３６は、不揮発性メモリー３７に記録されているテーブルを参照してコンデンサＣの充電電圧に基づいて電源供給が停止されてからの経過時間を求める。
カメラ１０は、最後の発光から電源供給が停止されるまでの時間（発光制御回路２３に備えられたタイマ回路によって計時）、及び、電源管理回路３０が求めた経過時間に基づいて、最後に照明光を発光してからの総経過時間を求める。そして、この発光後の総経過時間に基づいて拡散板２２の温度を求め、必要に応じて発光禁止制御等を行う。
【００３３】
次に、本実施形態の電源管理回路３０の効果を図５に示すグラフを用いて説明する。
図５は、図２に示すＲＣ放電回路に備えられたコンデンサの充電電圧の変化の一例を示すグラフである。
この図５において、（ａ）は、放電開始から２２００秒（約３７分）程度が経過するまでの充電電圧の変化を示し、（ｂ）は、（ａ）に示すグラフの一部拡大図であり、放電開始から４０秒程度が経過するまでの充電電圧の変化を示している。
【００３４】
また、この図５において、グラフＡは、本実施形態のＲＣ放電回路３３によるコンデンサＣの充電電圧の変化を示し、グラフＢは、比較形態のＲＣ放電回路（図示省略）によるコンデンサＣの充電電圧の変化を示している。比較形態のＲＣ放電回路は、コンデンサＣ及び抵抗Ｒをそれぞれ１つずつ備えた公知のＲＣ放電回路である。
【００３５】
なお、この図５に示すグラフは、一例としてコンデンサＣの充電電圧Ｖｃｃが、例えば、３．０Ｖ、過電圧検出ＩＣ３３ａが時定数の切り変えを行う際の基準となる閾値Ｖｔｈが、例えば、２．４Ｖに設定された場合を示しているが、充電電圧Ｖｃｃ及び閾値Ｖｔｈは、これらの値に限定されず、適宜変更が可能である。
【００３６】
前述のように、ＲＣ放電回路３３は、コンデンサＣの充電電圧が閾値Ｖｔｈ（図５に示す例であれば、例えば、２．４Ｖ）未満となるまでは、時定数ｔ１でコンデンサＣの放電を行う。図５に示すグラフの場合、コンデンサＣの充電電圧が、例えば、２．４未満となるのは、放電開始から、例えば、約３０秒が経過した時点である。
【００３７】
そして、過電圧検出ＩＣ３３ａは、コンデンサＣの充電電圧が、例えば、２．４Ｖ未満となった時点でＲＣ放電回路３３の時定数をｔ１からｔ１よりも大きいｔ２に変更する。ＲＣ放電回路３３は、時定数が大きくなると放電の速度が遅くなるので、図５に示すように充電電圧の時間当たりの減少の速度が遅く（グラフの勾配が緩やかに）なる。
【００３８】
このように、本実施形態の電源管理回路３０は、特に経過時間を詳細に測定する必要がある、例えば、電源供給が停止されてから３０秒程度の間は、比較形態の電源管理回路に比べてコンデンサＣの放電速度が速い。したがって、同じ経過時間でも電圧の変化量が大きく、電圧の変化に基づいて経過時間を求める際の分解能が高い。
【００３９】
具体的に説明すると、図５（ｂ）に示すように、電源供給停止から、例えば、２０秒が経過した時点で、本実施形態のＲＣ放電回路３３は、コンデンサＣの充電電圧が、例えば、０．４２Ｖ程度降下しているのに対し、比較形態のＲＣ回路は、例えば、０．０５Ｖ程度しか降下していない。
そして、電源供給停止から、例えば、２１秒が経過した時点で、比較形態のＲＣ放電回路の場合は、多少の電圧降下が確認できるものの、２０秒経過時と比べてコンデンサの充電電圧の変化はわずか（０．０１Ｖ以下）であり、充電電圧の変化に基づいて精度良く経過時間を求めることが困難である。
これに対し、同じ例で説明すると、本実施形態のＲＣ放電回路は、電源供給停止から、例えば、２０秒経過時と２１秒経過時とを比べると、コンデンサＣの充電電圧が０．０２Ｖ程度降下している。したがって、本実施形態のＲＣ放電回路３３を備える電源管理回路３０は、コンデンサＣの充電電圧に基づいて、確実にかつ高精度で電源供給停止からの経過時間を求めることができる。
【００４０】
第１実施形態の電源管理回路３０は、以上説明した効果に加えて、以下の効果を得ることができる。
（１）実施形態のＲＣ放電回路３３に備えられたスイッチ機構は、コンデンサＣからの放電電圧で作動するので、ＤＣ−ＤＣコンバータ３１からの電源供給が停止された状態でも抵抗Ｒ１と抵抗Ｒ２との接続態様を変更することができる。したがって、電源管理回路３０は、電池１６が抜き取られる等、完全に電源供給が停止された場合であっても確実に当該電源供給が停止されてからの時間を計測できる。
（２）時定数を抵抗の接続態様によって変更するので、抵抗の選択（抵抗Ｒ１や抵抗Ｒ２の抵抗値の選択）によって時定数を容易にチューニングすることができる。例えば、上述の例よりも時定数ｔ１をさらに小さくすることや、時定数ｔ２をさらに大きくすることが容易である。
（３）過電圧検出ＩＣ３３ａの検出電圧によって、時定数を変更するタイミングを決定するので、閾値Ｖｔｈを変更することによって、時定数切り替えのタイミングを容易にチューニングできる。例えば、上述の例では、電源供給停止から、例えば、３０秒程度で時定数を変更するようにしたが、閾値Ｖｔｈを下げることによって、例えば、３０秒以上にわたって高精度の経過時間測定を行うことができる。。
（４）コンデンサＣに充電された電荷のリークを抑制するトランジスタＴｒを、充電制御回路３４（Ｔｒ１、Ｔｒ２）及び読み出し制御回路３５（Ｔｒ３、Ｔｒ４）にそれぞれ設けたので、確実にコンデンサＣの電圧変化に基づいて経過時間を求めることができる。
【００４１】
［第２実施形態］
次に、本発明を適用した電源管理回路の第２実施形態を含むカメラについて図６を用いて説明する。この第２実施形態及び以下に説明するその他の実施形態において、上述した第１実施形態と同様な機能を果たす部分には、同一の符号又は末尾に統一した符号を付して、重複する説明や図面を適宜省略する。
第２の実施形態のカメラは、第１実施形態のカメラに比べ、電源管理回路に備えられたＲＣ放電回路の構成が異なる。以下、ＲＣ放電回路の構成について説明する。
図６は、第２実施形態のカメラに備えられた電源管理回路を示すブロック図である。
【００４２】
第１実施形態のＲＣ放電回路３３は、コンデンサＣをひとつ含み、時定数を切り替える際には２つの抵抗Ｒ１、Ｒ２の接続態様を切り替える。これに対し、第２の実施形態のＲＣ放電回路４３には、コンデンサが２つ（Ｃ１、Ｃ２）設けられ、時定数を切り替える際には、これらの２つのコンデンサＣ１、Ｃ２を回路内で電気的に切り離して２つのＲＣ放電回路を形成する。
【００４３】
第２実施形態の電源管理回路４０に備えられたＲＣ放電回路４３には、充電制御回路４４によって充電されるコンデンサとして、第１のコンデンサＣ１と第２のコンデンサＣ２とが並列接続されて備えられている。第１のコンデンサＣ１の静電容量は、第２のコンデンサＣ２の静電容量よりも大きく設定されている。以下、これらの合成静電容量を（Ｃ１／／Ｃ２）とする。
【００４４】
また、第２実施形態のＲＣ放電回路４３には、４つの抵抗Ｒ１〜Ｒ４が備えられている。４つの抵抗の抵抗値の関係は、Ｒ３＞Ｒ２＞Ｒ４＞Ｒ１となっている。
第１のコンデンサＣ１、第２のコンデンサＣ２、及び、第１〜第４の抵抗Ｒ１〜Ｒ４は、第１のＲＣ放電回路を形成している。第１のＲＣ放電回路の出力は、ＣＰＵのＡ／Ｄ１ポートに入力される。
【００４５】
抵抗Ｒ２は、過電圧検出ＩＣ４３ａに備えられている。過電圧検出ＩＣは、コンデンサＣ１及びＣ２から抵抗Ｒ２に流れる電流によって作動するスイッチ機構を備えている。電源管理回路４０は、第１のコンデンサＣ１及び第２のコンデンサＣ２の充電電圧が閾値Ｖｔｈ以上の場合（Ｖｃ≧Ｖｔｈ）には、上述した第１のＲＣ放電回路によってコンデンサ（Ｃ１、Ｃ２）の放電を行い、第１のコンデンサＣ１及び第２のコンデンサＣ２の充電電圧が閾値Ｖｔｈとなった場合（Ｖｃ＜Ｖｔｈ）には、スイッチ機構によって第２のコンデンサＣ２と抵抗Ｒ２と抵抗Ｒ４とからなる第２のＲＣ放電回路と、第１のコンデンサＣ１と抵抗Ｒ３とからなる第３のＲＣ放電回路を形成する。第２のＲＣ放電回路の出力は、ＣＰＵ４６のＡ／Ｄ１ポートに入力される。第３のＲＣ放電回路の出力は、ＣＰＵ４６のＡ／Ｄ２ポートに入力される。
【００４６】
Ｖｃ≧Ｖｔｈの場合におけるＲＣ放電回路４３の時定数ｔ１は、ｔ１＝（Ｒ１／／Ｒ２／／Ｒ３／／Ｒ４）＊（Ｃ１／／Ｃ２）で定義される。これに対し、Ｖｃ＜Ｖｔｈの場合、第２のＲＣ放電回路の時定数ｔ２は、ｔ２＝（Ｒ２／／Ｒ４）＊Ｃ２で定義される。また、第３のＲＣ放電回路の時定数ｔ３は、ｔ３＝Ｒ３＊Ｃ１で定義される。時定数ｔ１〜ｔ３の間には、ｔ１＜ｔ２＜ｔ３の関係が成り立っている。
【００４７】
第２実施形態のＲＣ放電回路４３は、低電圧検出ＩＣ４２が電源供給停止を検出した直後（Ｖｃ≧Ｖｔｈ）は、第１のＲＣ放電回路の出力がＣＰＵのＡ／Ｄ１ポートに入力される。
そして、過電圧検出ＩＣ４３ａがコンデンサＣ１及びコンデンサＣ２の充電電圧がＶｔｈ未満（Ｖｃ＜Ｖｔｈ）となったことを検出すると、第２のＲＣ放電回路の出力がＣＰＵのＡ／Ｄ１ポートに、第３のＲＣ放電回路の出力がＣＰＵのＡ／Ｄ２ポートにそれぞれ入力される。第２のＲＣ放電回路と第３のＲＣ放電回路とは、時定数が異なるので時間当たりの電圧降下量が異なり、これによって、ＣＰＵ４６は、コンデンサ（Ｃ１、Ｃ２）の充電電圧の変化を２つのパターンで得ることができる。
【００４８】
図７は、図６に示すＲＣ放電回路に備えられたコンデンサの充電電圧の変化を示すグラフである。
第１のコンデンサＣ１及び第２のコンデンサＣ２は、並列接続されているので、充電電圧Ｖｃが等しく、Ｖｃ≧Ｖｔｈの場合（時定数＝ｔ１）、これらの充電電圧の変化を示すグラフ（以下、放電カーブと称する）は、図７に示すように、１種類だけである。
これに対し、Ｖｃ＜Ｖｔｈの場合（時定数＝ｔ２、及び、ｔ３）、異なる時定数を有する２つのＲＣ放電回路が形成されるので、放電カーブも２種類が形成される。
第３のＲＣ放電回路の出力に基づく放電カーブ（Ｃ１の放電カーブ）は、第２のＲＣ放電回路の出力に基づく放電カーブ（Ｃ２の放電カーブ）に比べて、時間当たりの電圧降下量が少ないので、長時間の時間測定に適している。また、第２のＲＣ放電回路の出力に基づく放電カーブ（Ｃ２の放電カーブ）は、第３のＲＣ放電回路の出力に基づく放電カーブ（Ｃ１の放電カーブ）に比べて、時間当たりの電圧降下量が大きいので、電源供給停止からの経過時間をより詳細に測定できる。
このように、第２実施形態の電源管理回路４０は、第１実施形態の電源管理回路３０に比べて、経過時間の計測をさらに長時間に渡って高精度で行うことができるとともに、長時間の経過時間の計測を行うこともできる。
【００４９】
［第３実施形態］
次に、本発明を適用した電源管理回路の第３実施形態を含むカメラについて説明する。
図８は、第３実施形態のカメラに備えられたＲＣ電源管理回路の構成を示すブロック図である。
第３実施形態の電源管理回路５０に備えられたＲＣ放電回路５３は、第２実施形態と同様に並列接続された２つのコンデンサＣ１、Ｃ２を備えている。また、抵抗は、３つ（Ｒ１〜Ｒ３）が設けられ、抵抗Ｒ２が過電圧検出ＩＣ５３ａに設けられている。
【００５０】
第３実施形態のＲＣ放電回路５３は、Ｖｃ≧Ｖｔｈの場合には、コンデンサＣ１、Ｃ２に蓄積された電荷を抵抗Ｒ１〜Ｒ３を介して放電する。
また、Ｖｃ＜Ｖｔｈとなった場合には、第２実施形態のＲＣ放電回路４３と同様に、過電圧検出ＩＣ５３ａに備えられたスイッチ機構によって２つのＲＣ放電回路を形成する。
第３実施形態のＲＣ放電回路５３では、コンデンサＣ２と抵抗Ｒ３とからなる第２のＲＣ放電回路（時定数ｔ２＝Ｃ２＊Ｒ２）と、コンデンサＣ１と抵抗Ｒ３とからなる第３のＲＣ放電回路（時定数ｔ３＝Ｃ１＊Ｒ３）とが形成される。コンデンサＣ１の静電容量は、コンデンサＣ２の静電容量よりも大きく設定されている（Ｃ１＞Ｃ２）。また、抵抗Ｒ１〜Ｒ３の抵抗値（それぞれＲ１〜Ｒ３とする）は、Ｒ２＞Ｒ１＞Ｒ３の関係が成り立っており、時定数ｔ１〜ｔ３の間には、ｔ１＜ｔ２＜ｔ３の関係が成り立っている。
【００５１】
なお、第３実施形態のＲＣ放電回路５３に備えられたコンデンサＣ１、Ｃ２の充電電圧の変化を示すグラフ（放電カーブ）は、第２実施形態と実質的に同じであるので、その図示を省略するものとする。
以上説明した第３実施形態の電源管理回路５０も、第２実施形態と同様の効果を得ることができる。
【００５２】
［変形形態］
本発明は、以上説明した実施形態に限定されることなく、以下に示すような種々の変形や変更が可能であって、これらも本発明の技術的範囲内に含まれる。
（１）第１実施形態のＲＣ放電回路は、２つの抵抗の接続を変更することによって放電時定数を変化させたが、これに限らず、ＲＣ放電回路に可変抵抗を設け、コンデンサの充電電圧に応じて可変抵抗の抵抗値を変更してもよい。
（２）実施形態の電源管理回路に備えられたＲＣ放電回路は、過電圧検出ＩＣによってコンデンサの充電電圧を検出したが、充電電圧の閾値を検出できれば、これに限らず、例えば、低電圧検出ＩＣとインバータとを組み合わせて用いてもよい。
（３）実施形態のＲＣ放電回路は、閾値がひとつだけ設定されたが、これに限らず、閾値を複数設けて時定数が複数段階で切り替わるように回路を構成してもよい。
（４）実施形態のＲＣ放電回路は、コンデンサの充電電圧が閾値未満となった場合に時定数が大きくする制御を行ったが、ＲＣ放電回路を使用する電気機器の種類や、電源管理の目的によっては、これに限らず、例えば、充電電圧が閾値未満になったタイミングで時定数を小さくする制御を行ってもよい。
（５）実施形態の電源管理回路は、カメラに備えられたが、これに限らず、例えば、プリンタ等の他の電気機器に備えられていてもよい。
（６）第１実施形態における回路（図２）を次のように変形する変形例も考えられる。
図９は、図２に示したＲＣ放電回路３３を一部変更したＲＣ放電回路３３０の回路図である。以下、このＲＣ放電回路３３０について説明する。なお、本変形例では、図２のＲＣ放電回路３３が図９に置き換わるのみで、他の回路構成については図２と同一であるのでここでの説明は省略する。また図２と同一構成のものには同一符号を付して、ここでの説明を省略する。
図９のＲＣ放電回路３３０では、２つの抵抗Ｒ１０、Ｒ２０がそれぞれ、スイッチング素子Ｓ１、Ｓ２を介してコンデンサＣに並列に接続されている。スイッチング素子は、例えばＭＯＳ−ＦＥＴで構成されている。抵抗Ｒ１０、Ｒ２０の抵抗値は、Ｒ１０＜Ｒ２０、の大小関係を持っている。スイッチング素子Ｓ１は、コンデンサＣの充電電圧が図１０（ａ）に示す第１電圧値Ｖ１以上のときにＯＮし、且つ第１電圧値Ｖ１未満であればＯＦＦする素子である。一方スイッチング素子Ｓ２は、コンデンサＣの充電電圧が第１電圧値Ｖ１未満であればＯＮし、第１電圧値以上であればＯＦＦするスイッチである。スイッチＳ１がＯＮしているときのＲＣ放電回路３３０の時定数ｔ１０は、スイッチＳ２がＯＮしているときの時定数ｔ２０よりも小さい。
この変形例の動作を、図１０（ａ）のＲＣ放電回路３３０によるコンデンサＣの充電電圧（残電圧）の変化を示すグラフを用いて説明する。なお、図１０（ａ）ではスケールが省略されているが図５（ａ）のスケールと同じものを用いている。電池１６が電池室１７から抜き取られた直後Ｔ１０の時点ではコンデンサＣに十分な電荷が蓄積されているので、検知される残電圧は第１電圧値Ｖ１よりも大きい。このためＴ１０ではスイッチＳ１がＯＮされ、且つスイッチＳ２がＯＦＦされる。そして暫くは時定数ｔ１０でコンデンサＣの放電が行われる。その放電後、コンデンサＣの充電電圧が第１電圧値Ｖ１未満になると（Ｔ２０の時点）、スイッチＳ１がＯＦＦされる一方でスイッチＳ２がＯＮされる。これにより以降は、時定数ｔ２０で放電が行われることになる。
（７）図９に示した上記（６）の変形例は更に、スイッチング素子Ｓ２の動作電圧を変えることで、次のように構成することも可能である。
スイッチング素子Ｓ１の動作電圧は上記（６）で述べたのと同じにする。その一方で、スイッチング素子Ｓ２は、コンデンサＣの充電電圧が第２の電圧値Ｖ２（Ｖ１＜Ｖ２）未満で且つ第１電圧値Ｖ１以上であればＯＦＦする（換言すれば電圧値Ｖ２以上のときと電圧値Ｖ１未満のときにはＯＦＦする）ように構成する。
スイッチＳ１だけがＯＮしているときのＲＣ放電回路３３０の時定数ｔ１０は、スイッチＳ２だけがＯＮしているときの時定数ｔ２０よりも小さく、また両スイッチＳ１、Ｓ２が共にＯＮしているときの時定数ｔ３０はｔ１０よりも更に小さい（ｔ３０＜ｔ１０＜ｔ２０）。
この変形例の動作を、図１０（ｂ）のＲＣ放電回路３３０によるコンデンサＣの充電電圧（残電圧）の変化を示すグラフを用いて説明する。なお図１０（ｂ）でもスケールが省略されているが図５（ａ）のスケールと同じものである。電池１６が電池室１７から抜き取られた直後Ｔ１０の時点ではコンデンサＣに十分な電荷が蓄積されているので、検知される残電圧は第１電圧値Ｖ１よりも大きい。このためＴ１０ではスイッチＳ１とスイッチＳ２が共にＯＮされ、そして暫くは時定数ｔ３０でコンデンサＣの放電が行われる。その放電後、コンデンサＣの充電電圧が電圧値Ｖ２未満になると（Ｔ３０の時点）、スイッチＳ２がＯＦＦされる。このときスイッチＳ１はＯＮ状態が維持される。これにより以降は、時定数ｔ１０で放電が行われることになる。更にその放電後、コンデンサＣの充電電圧が電圧値Ｖ１未満になると（Ｔ２０の時点）、スイッチＳ１がＯＦＦされる一方で、スイッチＳ２が再びＯＮされる。これにより以降は、時定数ｔ２０で放電が行われることになる。
（８）上記（６）、（７）の変形例で用いたＲＣ放電回路３３０は、スイッチング素子の動作電圧を変えることによって、抵抗の組み合わせ（切り換えられる時定数の種類）を上記以外にも様々なものにすることができる。例えば、切り換えられる抵抗の組み合わせを、Ｒ１０とＲ１／／Ｒ２０にしても良いし、或いはＲ２０とＲ１０／／Ｒ２０にしても良い。
【図面の簡単な説明】
【００５３】
【図１】第１実施形態のカメラの構成を示すブロック図である。
【図２】図１に示すカメラに備えられた電源管理回路を示す回路図である。
【図３】図２示す電源管理回路の動作を示すタイミングチャートである。
【図４】図２に示す電源管理回路が行う電源管理制御を示すフローチャートである。
【図５】図２に示すＲＣ放電回路に備えられたコンデンサの充電電圧の変化を示すグラフである。
【図６】第２実施形態のカメラに備えられた電源管理回路を示すブロック図である。
【図７】図６に示すＲＣ放電回路に備えられたコンデンサの充電電圧の変化を示すグラフである。
【図８】第３実施形態のカメラに備えられた電源管理回路を示すブロック図である。
【図９】第１実施形態の変形例におけるＲＣ放電回路の回路図である。
【図１０】第１実施形態の変形例におけるＲＣ放電回路に備えられたコンデンサＣの充電電圧（残電圧）の変化を示すグラフである。
【符号の説明】
【００５４】
３０  電源管理回路  ：  ３３  ＲＣ放電回路  ：  ３３ａ  過電圧検出ＩＣ  ：  Ｃ  コンデンサ  ：  Ｒ１、Ｒ２  抵抗
【図１】
2009300199.tif 000003
【図２】
2009300199.tif 000004
【図３】
2009300199.tif 000005
【図４】
2009300199.tif 000006
【図５】
2009300199.tif 000007
【図６】
2009300199.tif 000008
【図７】
2009300199.tif 000009
【図８】
2009300199.tif 000010
【図９】
2009300199.tif 000011
【図１０】
2009300199.tif 000012